(57)【要約】      （修正有）【課題】変速レバーカバーの表示を明瞭に刻印する。【解決手段】表示刻印装置１０は、表示刻印用の金具１４が下面に設けられたホットプレート１６と、該ホットプレート１６を昇降させる昇降機構１８，変速レバーのグリップ２２を支持する受具３０により構成されている。前記金具１４は、前記グリップ２２の頂部形状に沿った曲面部１４Ａに凸状の表示１４Ｂを備えており、前記ホットプレート１６により適温に加熱される。前記受具３０は、前記グリップ２２の内側の中空部に挿通される支柱３２と、前記グリップ２２の下側の周囲ほぼ全体を受ける立体的な受部３４により構成される。カバー２４が張設されたグリップ２２を、前記受具３０にセットし、前記ホットプレート１６を下降させて金具１４を前記カバー２４に押圧すると、グリップ２２の曲面形状に沿った表示が明瞭に刻印される。【選択図】図１
0003111595.tif 000002
【実用新案登録請求の範囲】
【請求項１】
変速レバーのグリップ部の頂部形状に沿って当接可能な曲面部と、該曲面部に形成された表示刻印用の凸部とを有することを特徴とする変速レバーカバーの表示刻印用金具。
【請求項２】
変速レバーのグリップ部を立設した状態で、該グリップ部の周囲を、その曲面形状に沿って複数個所又はほぼ全体で受けることを特徴とする変速レバーカバーの表示刻印用受具。
【請求項３】
前記グリップ部の中空部に挿通される支柱と、該支柱の周囲に設けられており、前記グリップ部の周囲をその曲面形状に沿って受ける受部とを備えたことを特徴とする請求項２記載の変速レバーカバーの表示刻印用受具。
【請求項４】
変速レバーのグリップ部の頂部形状に沿って当接可能な曲面部と、該曲面部に形成された表示刻印用の凸部とを有する金具，
該金具が取り付けられるとともに、該金具を加熱するホットプレート，
前記変速レバーのグリップ部を立設した状態で、該グリップ部の周囲を、その曲面形状に沿って複数個所又はほぼ全体で受ける受具，
前記金具が、前記受具に支持されたグリップ部に対して押圧可能となるように、前記ホットプレートを昇降する昇降機構，
を備えたことを特徴とする変速レバーカバーの表示刻印装置。
【請求項５】
グリップ部の頂部の曲面形状に沿って当接可能な金具によって刻印された表示，を有することを特徴とする変速レバーカバー。
【考案の詳細な説明】
【技術分野】
【０００１】
本考案は、車両の変速レバー（ないしシフトレバー，ギヤレバー，チェンジレバー）のカバー，その表示刻印用金具，表示刻印用受具，表示刻印装置に関し、更に具体的には、表示の明瞭化に関するものである。
【背景技術】
【０００２】
自動車などの変速レバー（ないしシフトレバー，ギヤレバー，チェンジレバー）のカバーには、各レンジを示す数値やラインなどの表示が設けられている。このような表示は、例えば、図３に一例を示すように、型１００の溝１０２にカバー１０８を敷きこみ、該カバー１０８の上から、前記溝１０２に埋め込まれた雌型１０４に対して雄型１０６を押圧することにより表示が形成される。前記雌型１０４は、凹状の表示１０４Ａが形成されており、前記雄型１０６には、凸状の表示１０６Ａが形成されている。そして、表示が刻印されたカバー１０８が、図示しない変速レバーのグリップ部に張設される。
【考案の開示】
【考案が解決しようとする課題】
【０００３】
しかしながら、以上のような背景技術では、平面状態のカバー１０８に対して表示を刻印しているため、曲面形状のグリップ部にカバー１０８を張設すると、表示が刻印された部分が引っ張られて歪んでしまい、明瞭な表示が得られないという不都合がある。
【０００４】
本考案は、以上の点に着目したもので、その目的は、明瞭な表示を有する変速レバーカバー，その表示刻印用金具，表示刻印用受具，表示刻印装置を提供することである。
【課題を解決するための手段】
【０００５】
前記目的を達成するため、本考案の変速レバーカバーの表示刻印用金具は、変速レバーのグリップ部の頂部形状に沿って当接可能な曲面部と、該曲面部に形成された表示刻印用の凸部とを有することを特徴とする。
【０００６】
本考案の変速レバーカバーの表示刻印用受具は、変速レバーのグリップ部を立設した状態で、該グリップ部の周囲を、その曲面形状に沿って複数個所又はほぼ全体で受けることを特徴とする。主要な形態の一つは、前記グリップ部の中空部に挿通される支柱と、該支柱の周囲に設けられており、前記グリップ部の周囲をその曲面形状に沿って受ける受部とを備えたことを特徴とする。
【０００７】
本考案の変速レバーカバーの表示刻印装置は、前記変速レバーのグリップ部の頂部形状に沿って当接可能な曲面部と、該曲面部に形成された表示刻印用の凸部とを有する金具，該金具が取り付けられるとともに、該金具を加熱するホットプレート，前記変速レバーのグリップ部を立設した状態で、該グリップ部の周囲を、その曲面形状に沿って複数個所又はほぼ全体で受ける受具，前記金具が、前記受具に支持されたグリップ部に対して押圧可能となるように、前記ホットプレートを昇降する昇降機構，を備えたことを特徴とする。
【０００８】
本考案の変速レバーカバーは、グリップ部の頂部の曲面形状に沿って当接可能な金具によって刻印された表示，を有することを特徴とする。本考案の前記及び他の目的，特徴，利点は、以下の詳細な説明及び添付図面から明瞭になろう。
【考案の効果】
【０００９】
本考案は、グリップ部の頂部の曲面形状に沿って当接可能な金具によって、前記グリップ部に張設されたカバーに表示を刻印することで、変速レバーカバーの表示を明瞭に刻印できるという効果が得られる。
【考案を実施するための最良の形態】
【００１０】
以下、本考案を実施するための最良の形態を、実施例に基づいて詳細に説明する。
【実施例１】
【００１１】
最初に、図１及び図２を参照しながら、本考案の実施例１を説明する。図１は、本実施例の構成を示す図であり、(A)は全体構成を示す正面図，(B)は表示刻印用金具を示す斜視図である。図２は、本実施例の作用を示す図である。本考案の表示刻印装置は、自動車などの変速レバー（ないしシフトレバー／ギヤレバー／チェンジレバー）のグリップ部に設けられるカバーにレンジの表示を刻印するための装置であって、前記グリップ部の曲面形状に沿って明瞭な表示を刻印するものである。なお、前記カバーとしては、例えば、皮革などが用いられる。
【００１２】
図１に示すように、表示刻印装置１０は、金具１４が取り付けられるホットプレート１６と、該ホットプレート１６を昇降させる昇降機構１８，変速レバーのグリップ２２を支持する受具３０により構成されている。前記金具１４は、グリップ２２の頂部形状に沿った曲面部１４Ａに、レンジの数値とラインを示す表示１４Ｂが凸状に形成されたものであって、前記表示１４Ｂ自体も側面からみると表面が曲面状になっている。このような金具１４は、例えば、真鍮などにより構成されている。前記ホットプレート１６は、前記金具１４の基部１４Ｃの一部を埋め込んだ状態で固定するとともに、内部に図示しない加熱部と必要に応じてセンサなどを備えている。該ホットプレート１６には昇降機構１８の一端が固定されており、該昇降機構１８は、図示しないモータの駆動により昇降可能となっている。昇降機構１８としては、公知の各種の機構が適用可能である。
【００１３】
次に、前記受具３０は、グリップ２２を立設した状態で支持するものであり、前記グリップ２２の内側の中空部に挿通可能な支柱３２と、該支柱３２の周囲に設けられており、前記グリップ２２の周囲を、その曲面形状に沿って全体的に受けることが可能な立体的な受部３４とによって構成されている。前記受部３４は、前記金具１４によるプレス時に、グリップ２２の変形を防止して均一なプレスを行うためのものである。このような支柱３２，受部３４は、台３６の表面に適宜手段により固定されている。なお、図示した受部３４の形状は一例であり、後述するようにグリップ２２の形状に応じたものであればよい。
【００１４】
次に、図２も参照して、本実施例の作用を説明する。まず、図２(A)に示すように、昇降機構１８によってホットプレート１６を上げた状態で、受具３０にグリップ２２を装着する。グリップ２２には、予め、カバー２４が適宜手法で張設されているものとする。次に、図２(B)に示すように、適温に加熱されたホットプレート１６を、前記昇降機構１８により下降させ、該ホットプレート１６の下面に固定された金具１４を、受具３０に支持されたグリップ２２に押圧する。すると、加熱されたホットプレート１６の熱によって加熱された金具１４がカバー２４に押し当てられ、グリップ２２の曲面形状に沿った表示２６が刻印される。表示２６が刻印されたら、図２(C)に示すように、昇降機構１８によりホットプレート１６を上方へ持ち上げる。そして、受具３０からグリップ２２をはずし、他のグリップ２２をセットして、繰り返し上述した動作を行う。なお、上述した昇降機構１８による昇降動作は、スイッチなどのＯＮ／ＯＦＦの切り替えにより手動で行うようにしてもよいし、タイマーなどを利用して所定の時間間隔で自動的に行うようにしてもよい。
【００１５】
このように、実施例１によれば、受具３０によって、グリップ２２の周囲をその曲面形状に沿ってほぼ全体で支持するとともに、前記グリップ２２の頂部形状に沿った曲面部１４Ａと凸状の表示１４Ｂを備えた金具１４を、前記グリップ２２の表面に張設されたカバー２４に押圧することとしたので、グリップ２２の曲面形状に応じた明瞭な表示２６を刻印することができる。
【００１６】
なお、本考案は、上述した実施例に限定されるものではなく、本考案の要旨を逸脱しない範囲内において種々変更を加え得ることができる。例えば、以下のものも含まれる。
(1)前記実施例で示した各部の形状，大きさは一例であり、必要に応じて適宜変更可能である。特に、前記金具１４の曲面部１４Ａや、受具３０の受部３４の形状は、グリップ２２のタイプに合わせて複数種類用意し、必要に応じて交換するようにしてもよい。また、前記実施例では、受部３４によって、グリップ２２の周囲の下側ほぼ全体を受けることとしたが、安定して支持することができるものであれば、複数箇所を受けるのみの構成としてもよい。
(2)前記実施例で示した材料も一例であり、同様の効果を奏するように適宜変更してよい。
(3)前記ホットプレート１６の加熱制御機構や、昇降機構１８も一例であり、公知の各種の機構を適用可能である。
(4)本考案を利用して表示が刻印されるカバー２４としては、皮革が好適な例であるが、合成皮革などの他の公知の各種のカバー材に適用することを妨げるものではない。
【産業上の利用可能性】
【００１７】
本考案によれば、グリップ部の頂部形状に沿って当接可能な金具によって、前記グリップ部に張設されたカバーに表示を刻印することとしたので、変速レバーカバーの表示刻印の用途に適用できる。特に、皮革製のカバーの表示を刻印する際に好適である。
【図面の簡単な説明】
【００１８】
【図１】本考案の実施例１を示す図であり、(A)は全体構成を示す正面図，(B)は表示刻印用金具の外観を示す斜視図である。
【図２】前記実施例１の作用を示す図である。
【図３】背景技術の一例を示す図である。
【符号の説明】
【００１９】
１０：表示刻印装置
１２：本体
１４：金具
１４Ａ：曲面部
１４Ｂ：表示
１４Ｃ：基部
１６：ホットプレート
１８：昇降機構
２２：グリップ
２４：カバー
２６：表示
３０：受具
３２：支柱
３４：受部
３６：台
１００：型
１０２：溝
１０４：雌型
１０４Ａ：表示
１０６：雄型
１０６Ａ：表示
１０８：カバー
【図１】
0003111595.tif 000003
【図２】
0003111595.tif 000004
【図３】
0003111595.tif 000005